(57)【要約】    【課題】  発光面から放射される光束を所定方向に効果的に導光し、所定面上を効率的に照明することができる光源装置及びそれを用いた照明装置を得ること。    【解決手段】  発光面２、及びそれを包含する包含部材３を有し、該包含部材は発光面に対し垂直の任意の断面内において、光出射側の空気と接する包含部材境界面３aの形状が、該包含部材の材料の屈折率をＮ（１＜Ｎ）、該包含部材境界面に入射する照射光線と、包含部材境界面法線とのなす角をθとするとき、該発光面からの任意の照射光線について、θ＜Ｓｉｎ−１（１／Ｎ）の条件を満たすこと。【選択図】    図１
2006295810.tif 000002
【特許請求の範囲】
【請求項１】
発光面、及びそれを包含する包含部材を有し、該包含部材は発光面に対し垂直の任意の断面内において、光出射側の空気と接する包含部材境界面の形状が、該包含部材の材料の屈折率をＮ（１＜Ｎ）、該包含部材境界面に入射する照射光線と、包含部材境界面法線とのなす角をθとするとき、該発光面からの任意の照射光線について
θ＜Ｓｉｎ−１（１／Ｎ）
の条件を満たすことを特徴とする光源装置。
【請求項２】
前記包含部材境界面の形状は、前記発光面の中心から該包含部材境界面への照射光束の通過位置までの長さをＬ、該発光面の中心から発光面法線方向に射出する光線の境界面通過位置までの長さをＬoとするとき、該発光面の中心から放射する任意の光線について
０．７≦Ｌ／Ｌo≦１．４
の条件を満たすことを特徴とする請求項１に記載の光源装置。
【請求項３】
前記発光面は、それに内接する内接円の直径をＤ１とするとき、
０．７ｍｍ＜Ｄ１
なる条件を満足することを特徴とする請求項１又は２に記載の光源装置。
【請求項４】
前記発光面は、それに外接する外接円の直径をＤ２とするとき、
Ｄ２＜２．５ｍｍ
なる条件を満足することを特徴とする請求項１、２又は３に記載の光源装置。
【請求項５】
請求項１〜４に記載のいずれか１項の光源装置を複数個アレー状に配列したアレー光源装置と、該アレー光源装置の片側もしくは両側に集光作用をもつ反射部材とを有し、該アレー光源装置からの照明光束をライン上に集光する照明装置であって、
該アレー光源装置の配列方向に直交し、発光面の法線を含む断面内において、該光源装置から放射される光線のうち、該反射部材に向かう光線の強さの積分値をＡ、該反射部材以外に向かう光線の強さの積分値をＢとするとき、
Ｂ＜Ａ
の条件を満たすことを特徴とする照明装置。
【請求項６】
前記請求項５に記載の照明装置と、該照明装置からの光束で照明した原稿面上の画像情報を１次元ラインセンサー面上に結像させる結像光学系とを有することを特徴とする画像読取装置。
【発明の詳細な説明】
【技術分野】
【０００１】
本発明は光源装置及びそれを用いた照明装置に関し、例えば原稿台面に載置した画像情報をＣＣＤラインセンサーを用いて読取る画像読取装置に用いるときに好適なものである。
【背景技術】
【０００２】
従来、複写機、ファクシミリ装置等の画像読取装置においては、原稿載置上に載置した画像情報を一次元撮像素子上に形成し、該１次元撮像素子で画像情報をデジタル信号に変換している。この場合には原稿載置上の読み取る原稿（２次元画像情報）をその幅方向（主走査方向）に関して、帯状に照明する必要がある。そのため、照明装置の光源装置としてはハロゲンランプや冷陰極管、キセノン管といった管状光源を用いている。
【０００３】
しかしながら、これらの管状光源は各々、光源部からの発熱量が大きい、消費電力が大きい、インバーターなどの外付け回路が必要となる、光量安定迄の時間が長い等、様々な問題点を含んでいた。
【０００４】
このような課題に対して複数のＬＥＤを用いることによって消費電力が小さく、発熱量が小さく、かつ光量安定迄の時間を短縮した画像読取装置に好適な照明装置が提案されている（特許文献１参照）。
【０００５】
特許文献１では複数のＬＥＤ素子を基板上にアレー状に適切に配列した白色ＬＥＤアレーを用いて原稿面上を帯状に照明するようにした画像読取装置に好適な照明装置を開示している。
【０００６】
また、画像読取装置用の照明装置においては、原稿の幅方向（主走査方向）に帯状に一次元に照明する必要がある。このため、照明装置には一般的にＬＥＤからの照射光線を原稿読取位置に集光する集光作用を備えている。
【０００７】
ＬＥＤからの光束を発光面前方に光学レンズを設けて集光し、照明効率の向上を図ったＬＥＤが知られている（特許文献２参照）。
【０００８】
特許文献２では発光面の光出射側に発光面を含む凸形状のレンズ作用をするモールド部材を設け、該モールド部材の互いに直交する断面の形状（曲率中心）を特定して、光束の放射方向を制御した発光ダイオードを開示している。
【特許文献１】特開２００２−２４７２９６
【特許文献２】特開平１１−１５４７６６
【発明の開示】
【発明が解決しようとする課題】
【０００９】
一般にＬＥＤアレーを用いた照明装置は、従来の冷陰極管、キセノン管等の管状光源に比べ、照射光量が低く、原稿読取時には光量が不足する。この為画像読取装置に用いると画像にノイズ成分がのりやすく、画像情報を高品位に読み取ることが難しくなる。
【００１０】
発光面の光出射側にレンズ作用をするモールド部材を装着して出射光束の配光特性を制御する方法は、発光面とモールド部材の形状とを適切に設定しないと、高効率の照明が難しい。
【００１１】
例えば特許文献２のような、所謂砲弾型の白色ＬＥＤをアレー状に配列した場合、ＬＥＤからの光束は発光面周辺に設けた反射部材へほとんど向かわず、反射部材による集光作用が殆ど利用されていない。
【００１２】
本発明は発光面から放射される光束を所定方向に効果的に導光し、所定面上を効率的に照明することができる光源装置の提供を目的とする。
【００１３】
更に光源装置を用いて原稿面上の画像情報を帯状に効果的に照明することができる画像読取装置に好適な照明装置の提供を目的とする。
【００１４】
この他、発光面からの光束の取り出しの効率の向上、及び発光面と集光手段の構成の相互の最適化を図りつつ、高光量かつ高効率な照明ができる照明装置の提供を目的とする。
【課題を解決するための手段】
【００１５】
請求項１の発明の光源装置は、
発光面、及びそれを包含する包含部材を有し、該包含部材は発光面に対し垂直の任意の断面内において、光出射側の空気と接する包含部材の境界面の形状が、該包含部材の材料の屈折率をＮ（１＜Ｎ）、該包含部材境界面に入射する照射光線と、包含部材境界面法線とのなす角をθとするとき、該発光面からの任意の照射光線について
θ＜Ｓｉｎ−１（１／Ｎ）
の条件を満たすことを特徴としている。
【００１６】
請求項５の発明の照明装置は、
請求項１〜４に記載のいずれか１項の光源装置を複数個アレー状に配列したアレー光源装置と、該アレー光源装置の片側もしくは両側に集光作用をもつ反射部材とを有し、該アレー光源装置からの照明光束をライン上に集光する照明装置であって、
該アレー光源装置の配列方向に直交し、発光面の法線を含む断面内において、該光源装置から放射される光線のうち、該反射部材に向かう光線の強さの積分値をＡ、該反射部材以外に向かう光線の強さの積分値をＢとするとき、
Ｂ＜Ａ
の条件を満たすことを特徴としている。
【００１７】
請求項６の発明の画像読取装置は、
請求項５に記載の照明装置と、該照明装置からの光束で照明した原稿面上の画像情報を１次元ラインセンサー面上に結像させる結像光学系とを有することを特徴としている。
【発明の効果】
【００１８】
本発明によれば、発光面及びそれを包含する包含部材を有する光源装置において条件式を満足するように包含部材境界面形状を設定し、またその光源装置の発光面をアレー上に配列し、条件式を満足するように反射部材を配置することで、発光面からの光を効率よく取り出し、且つ所望の照射位置に均一に照明することができる、例えばイメージスキャナや複写機、複合機等の装置に好適な光源装置及びそれを用いた照明装置を達成することができる。
【発明を実施するための最良の形態】
【００１９】
以下、図面を用いて本発明の実施例を説明する。
【００２０】
図１は本発明の光源装置の実施例１の説明図、図２は実施例１の光源装置を複数用いた照明装置の実施例１の要部概略図である。
【００２１】
図３は本発明の光源装置の実施例２の説明図、図４は実施例２の光源装置を複数用いた照明装置の実施例２の要部概略図である。
【００２２】
図５は本発明の光源装置の実施例３の説明図、図６は実施例３の光源装置を複数用いた照明装置の実施例３の要部概略図である。
【００２３】
各図において１，７，１３は各々光源装置、２，８，１４は各々発光面、３，９，１５は各々発光面を包含する包含部材、３ａ，９ａ，１５ａは各々包含部材３，９，１５が空気と接する包含部材境界面である。
【００２４】
次に図１、図２の実施例１を例にとり、本発明の光源装置及びそれを用いた照明装置の特徴について各部材を用いて説明する。
【００２５】
本実施例の光源装置は、それを構成する発光面２、及びそれを包含する材料の屈折率Ｎ（Ｎ＞１）の包含部材３の形状を発光面２からの直上（Ｚ方向）に照射する光線Ｌｖと直交する発光面２を含む断面（ＸＺ断面）より照射側の包含部材３と空気との包含部材境界面３ａが、照射する発光面２からの光線と、その光線通過位置での包含部材境界面法線Ｌｐとなす角をθとするとき、発光面２からの任意の光線について
θ＜Ｓｉｎ−１（１／Ｎ）      ------------------(１)
の条件を満たすように構成している。
【００２６】
そして包含部材３の包含部材境界面３ａが、発光面２の中心２ａから包含部材境界面３ａの任意の光線通過位置までの長さをＬ、発光面の中心２ａから発光面法線Ｌｖ方向に射出する光線の包含部材境界面３ａの光線通過位置までの長さをＬoとするとき、発光面中心２ａから放射する任意の光線について
０．７≦Ｌ／Ｌo≦１．４------------------(２)
の条件を満たすように構成している。
【００２７】
光源装置１の発光面２は、それに内接する内接円の直径をＤ１、それに外接する外接円の直径をＤ２とするとき
０．７ｍｍ＜Ｄ１      ------------------(３)
Ｄ２＜２．５ｍｍ      ------------------(４)
となるように構成している。
【００２８】
本実施例の照明装置４は、各実施例の１つの光源装置１を複数個アレー状に配列し、その片側もしくは両側に集光作用をもつ反射部材５（５ａ，５ｂ）を配置して構成している。本実施例の照明装置４により光束をライン上に集光して原稿面上を一次元に照明している。光源装置１をアレー状に配列した配列方向（Ｙ方向）に直交し、発光面２の法線を含む断面（ＸＺ断面）内において光源装置１から放射される光線のうち、反射部材５に向かう光線（図２（ｂ）の光線Ａ１）の強さの積分値をＡ、それ以外の反射部材５に向かわない光線（図２（ｂ）の光線Ｂ１）の強さの積分値をＢとするとき、
Ｂ＜Ａ      ------------------(５)
の条件を満たすように反射部材５を配置している。
【００２９】
次に各条件式（１）〜（５）について、その技術的な意味について説明する。
【００３０】
条件式（１）は発光面の包含部材の境界面の形状に関するものである。包含部材境界面の形状が条件式（１）を満足するとき、発光面からの全ての光線は包含部材境界面での境界面法線となす角θが全反射角よりも小さくなる。つまり、全ての光線は包含部材境界面で全反射を起こさず、包含部材を透過し効率的に外部に取り出されることになる。逆に、包含部材境界面の形状が条件式（１）を満足しないとき、発光面からの光線の一部は全反射によって、包含部材内に戻され、効率的に利用できない。よって条件式（１）を満足する形状を包含部材境界面に与えることで、発光面からの光線を効率よく取り出すことが可能となる。
【００３１】
条件式（２）は条件式（１）と同様に発光面の包含部材の境界面の形状に関するものであり、特に包含部材の大きさに関するものである。条件式（２）の上限値または下限値を超えて、任意の光線に対する長さＬが長さＬoよりも大きい、若しくは小さくなるとき、発光面に比べて包含部材が大きくなり、照明装置全体の大型化をまねく。その結果、画像読取装置への搭載が困難になる。よって条件式（２）を満足することで、有限の発光面をコンパクトに包含することが可能となる。
【００３２】
本実施例でいうところの発光面とは光拡散部材の射出端面を示し、例えば励起ＬＥＤ＋蛍光体のタイプのＬＥＤでは蛍光体を含む樹脂面、ＬＥＤのみの場合にはＬＥＤ発光面がそれにあたる。
【００３３】
条件式（３）は光源装置の発光面の大きさに関するものである。条件式（３）の下限値を超えて発光面が小さいとき、発光面の作成が困難となる。また、発光面から得られる光量も面積の縮小に伴って低下する。このため、条件式（３）を満たすことで、光源装置の発光面を容易に作成でき、且つ画像読取装置の照明装置で使用するために必要な光量が得られる。
【００３４】
尚、さらに好ましくは
１．０ｍｍ≦Ｄ１------------------(３ａ)
を満足するのが良い。こうすることで、より明るい画像読取装置の照明装置が得られ、ノイズの少ない高品位な画像を読み取ることが容易となる。
【００３５】
条件式（４）は、条件式（３）と同様に光源装置の発光面の大きさに関するものである。条件式（４）の上限値を超えて発光面が大きくなると、照明装置の集光手段での集光効率が低下し、効率的な照明ができない。このため、条件式（４）を満たすことで、集光効率の高い照明装置を構成できる光源装置が得られる。
【００３６】
さらに好ましくは
Ｄ２≦１．５ｍｍ------------------(４ａ)
を満足するのが良い。これにより、光源装置から射出する光束を高効率で集光できるようになり、結果として低消費電力の画像読取装置を達成することができる。
【００３７】
条件式（５）は一次元方向に配置したＬＥＤに平行に配置した反射部材の配置位置に関するものである。この条件式（５）について図７を使って詳しく説明する。
【００３８】
図７において２０は複数の光源装置を一次元方向に配置した照明装置、２２は配列方向に平行に配置された反射部材である。また、２１は照明装置の配光特性を示す。光源装置から射出する任意の光線の強度をＬｘとしたとき、反射部材２２に向かう光線の強度の積分値Ａ＝ΣＡＬｘ、その他の反射部材２２に向かわない光線の強度の積分値Ｂ＝ΣＢＬｘは、図７のようになる。条件式（５）のＢ＜Ａを満足するように反射部材２２を配置した場合、Ａ＜Ｂのように反射部材２２を配置した場合よりも、反射部材２２による集光手段をより効率的に利用し、原稿読取位置において原稿面上をより高光量で照明することができる。
【００３９】
次に各実施例の特徴について説明する。
【実施例１】
【００４０】
図１において（ａ）、（ｂ）、（ｃ）、（ｄ）は順に光源装置１の上部断面図、水平方向断面図、光源装置１の発光面２の形状図及び配光特性図である。また図２において（ａ）は照明装置の概略斜視図、（ｂ）は複数の光源装置を一次元方向に配列した配列方向に垂直な断面における要部断面図である。
【００４１】
図１において、１は光源装置であり、発光面２及び該発光面２を包む包含部材３を有している。発光面２はＬＥＤ（発光ダイオード）と蛍光体を含む樹脂から成るＬＥＤ発光チップより成り、不図示のリードフレームを介して、基板１０１に固定されている。発光面２はφ（直径）１ｍｍの円状形状である。発光面２の内接円の直径をＤ１、外接円の直径をＤ２とするとき、Ｄ１＝Ｄ２＝１ｍｍである。
【００４２】
ＬＥＤ発光チップからなる発光面２は透光性の高いアクリル樹脂（Ｎ＝１.４３）からなる包含部材３で半球形となるように封止し、その水平方向断面内（図１（ｂ））の形状は放射される光線の任意の光線について条件式（１）、（２）を満足するようにしている。例えば包含部材境界面３ａは任意の光線について、角度θはθ＜４２°、長さＬ、ＬｏはＬ＝Ｌｏ＝４ｍｍの半球形を形状とし、光線を効率よく集光して放射している。
【００４３】
次に図２（ａ），（ｂ）の照明装置について説明する。本実施例の照明装置４は光源装置１を一次元方向（Ｙ方向）にアレー状に複数個配列してアレー光源装置を構成し、その配列方向に平行かつ両側に反射部材５（５ａ，５ｂ）を配置している。照明装置４からの光束を所望の原稿読取位置１００ａにＹ方向に長い矩形状と成るように集光している。反射部材５は、アルミなどの表面にＳｉＯ２や、ＴｉＯ２などで反射増加膜処理を施し、折り曲げ加工した複数の平板反射面より成る、多平面反射笠より成っている。この反射部材５を光源装置１の両側に配置することで光束の集光効率を高め原稿読取位置１００ａへの照明を効果的に行っている。
【００４４】
図２（ｂ）において、６は照明装置４から放射される照明光束の配光特性である。光源装置１から放射される光束の配光特性を考慮して反射部材５を配置している。
【００４５】
発光面２から半空間内に放射される光束のうち、反射部材５ａ，５ｂで反射される光束の発光面２に対する角度を各々α１、α２とするとき、光源装置１からの光束のうち反射部材５ａ，５ｂに向かう光線の強さの積分値である光線量Ａ１とそれ以外の反射部材５ａ，５ｂに向かわない光線の強さの積分値である光線量Ｂ１の関係を条件式（５）を満たすようにα１＝９８°、α２＝４４°となるように反射部材５を配置している。これによって効率よく原稿読取位置１００ａを照射している。
【００４６】
尚、反射部材５を複数のシリンドリカル内面反射鏡を配列して構成しても良い。
【実施例２】
【００４７】
図３において（ａ）、（ｂ）、（ｃ）、（ｄ）は順に光源装置７の上部断面図、水平方向断面図、光源装置７の発光面８の形状図及び配光特性図である。また図４において（ａ）は照明装置の概略斜視図、（ｂ）は複数の光源装置７を一次元方向に配列した配列方向に垂直な断面における要部断面図である。
【００４８】
図３において、７は光源装置であり、発光面８及び該発光面８を包む包含部材９を有している。実施例１と異なるのは、発光面８は有機ＥＬであり、不図示の電極に固定され発光する点である。
【００４９】
また、発光面８の形状は図３（ｃ）示すような長方形状であり、内接円の直径Ｄ１はＤ１＝０．９ｍｍ、外接円の直径Ｄ２はＤ２＝１．３ｍｍである。
【００５０】
発光面８はエポキシ樹脂（Ｎ＝１.４９）からなる包含部材９で封止し、その形状は任意の光線について条件式（１）、（２）を満足するように構成している。例えば包含部材境界面９ａは任意の光線について角度θはθ＜４４°、長さＬｏ、ＬはＬ＜Ｌｏ、Ｌｏ＝５．３ｍｍ、最小の長さＬは４．０ｍｍとなるように包含部材境界面８ａを設定している。これにより発光面８からの光線を効率よく集光して放射している。
【００５１】
本実施例の包含部材９は、例えば半径４．０ｍｍの半球９ｂと半径４．０ｍｍの円柱９ｃとから構成し、半球９ｂの中心９ｂ１から１．３ｍｍ境界面側下方に発光面８が位置するように包含することで、条件式（１）、（２）を満足し、発光面８からの光線を効率よく利用している。実施例１よりも屈折率の低い樹脂より成る包含部材９で発光面８を封止することで、長さＬｏがより長い全体として細長い形状で包含部材９を構成し、垂直方向（Ｚ方向）に指向性の強い光束が放射される照明装置を達成している。
【００５２】
図４（ａ）において、１０は照明装置であり、光源装置７を一次元方向（Ｙ方向）にアレー状に複数個配列してアレー光源装置を構成し、その配列方向に平行かつ両側に反射部材１１を配置している。照明装置１０からの光束を所望の原稿読取位置１００ｂにＹ方向に長い矩形状と成るように集光している。反射部材１１は、樹脂に金属を蒸着した高反射率の反射笠より成っている。これにより反射部材１１の製造を実施例１と比べ容易にしている。また、反射部材１１を曲面形状とし、集光性を高くすることで発光面８の片側に配置することで光束の集光効率を高めている。
【００５３】
図４（ｂ）において、１２は照明装置１０から放射される照明光束の配光特性を示している。配光特性１２は実施例１の配光特性６と比べ、発光面８からの垂直照射方向（Ｚ方向）に細長い特性を持つ。この光源装置７から放射される光束の配光特性を考慮して反射部材１１を配置している。光源装置７からの光束のうち反射部材１１に向かう光線の強さの積分値である光線量Ａ２とそれ以外の反射部材１１に向かわない光線の強さの積分値である光線量Ｂ２の関係を条件式（５）を満たすようにβ１＝１０４°となるように反射部材１１を配置している。これによって効率よく原稿読取位置１００ｂを照射している。このような照明装置１０は垂直照射方向と比べ発光面８方向（Ｘ方向）に小型化するのが容易と成る。
【実施例３】
【００５４】
図５において（ａ）（ｂ）（ｃ）（ｄ）は順に光源装置１３の上部断面図、水平方向断面図、光源装置１３の発光面１４の形状図及び配光特性図である。また図６において（ａ）照明装置の概略斜視図、（ｂ）は複数の光源装置１３を一次元方向に配列した照明装置の配列方向に垂直な断面における要部断面図である。
【００５５】
図５において、１３は光源装置であり、発光面１４及び該発光面１４を包む包含部材１５を有している。実施例１、２との違いとして、発光面１４はＲ（赤色）、Ｇ（緑色）、Ｂ（青色）の各ＬＥＤ発光チップからなり、同一のパッケージ内の別々の場所にダイボンドされている。
【００５６】
ここで発光面１４の大きさは図５（ｃ）に示すように全ての発光チップの外接円の直径Ｄ２として定義している。発光面１４は条件式（４）を満足する範囲で各ＬＥＤを外接円の直径Ｄ２＝１．８ｍｍに入るように配置している。発光面１４はシリコン樹脂（Ｎ＝１.５３）からなる包含部材１５で封止し、その形状は任意の光線について条件式（１）、（２）を満足している。包含部材境界面１５ａは任意の光線について角度θがθ＜４１°、長さＬｏ、ＬがＬｏ＜Ｌ、Ｌｏ＝２．８ｍｍ、最大の長さＬはＬ＝３．８ｍｍとなる形状に包含部材境界面１２ａを設定している。これにより発光面１４からの光線を効率よく集光して放射している。
【００５７】
本実施例の包含部材１５は、例えば半径４．０ｍｍの半球９ｂと半径４．０ｍｍの円柱９ｃとから構成し、半球９ｂの中心９ｂ１から１．２ｍｍ境界面側上方に発光面１４が位置するように包含することで、条件式（１）、（２）を満足し、発光面１４からの光線を効率よく利用している。実施例１よりも屈折率の高い樹脂より成る包含部材１５で発光面１４を封止することで、長さＬｏがより短い形状で包含部材１５を構成している。
【００５８】
また垂直方向（Ｚ方向）への指向性を抑えることで、隣接する光源装置と照明部を重ねやすく、原稿面上で照明光による色ムラが発生しにくい照明装置を達成している。また更には、シリコン樹脂とすることで封止剤の劣化を防止するようにしている。
【００５９】
図６（ａ）において、１６は照明装置であり、光源装置１３を一次元方向（Ｙ方向）にアレー状に複数個配列してアレー光源装置を構成している。その配列方向に平行かつ両側に反射部材１７（１７ａ，１７ｂ）を配置している。照明装置１６からの光束を所望の原稿読取位置１００ｃにＹ方向に長い矩形状と成るように集光している。反射部材１７は、樹脂で作成した基盤に反射シートを貼り付け構成した反射笠より成っている。これにより反射部材１７の製造を実施例１、２と比べ容易にしている。
【００６０】
また、反射部材１７を集光性の高い曲面形状とし、それを配列方向に平行に発光面１４の両側に配置することで、照明の高効率化を図っている。
【００６１】
図６（ｂ）において、１８は照明装置１６から放射される照明光束の配光特性を示している。配光特性１８は実施例１、２の配光特性と比べ、発光面１４からの垂直照射方向に横長の特性を持つ。この光源装置１６の配光特性を考慮して反射部材１７を配置している。光源装置１６からの光線のうち反射部材１７に向かう光線の強さの積分値である光線量Ａ３とそれ以外の反射部材１７に向かわない光線の強さの積分値である光線量Ｂ３の関係を条件式（５）を満たすようにγ１＝γ２＝７０°となるように反射部材１７を配置している。これによって効率よく原稿読取位置１００ｃを照射している。また、他の実施例と異なり原稿読取位置１００ｃに対して光源装置１３を傾けて配置し、読取位置に向かう光線の効率化を図っている。
【００６２】
本実施例の照明装置１６は垂直照射方向(Ｚ方向)に小型化するのが容易と成る。
【００６３】
本発明の実施例１、２、３で示した発光面と包含部材は、それぞれ同じ形状のものであっても良い。例えば、発光面及び包含部材の形状がそれぞれの実施例とも同等であり、発光面の大きさがＤ１＝Ｄ２＝１ｍｍの円、もしくは０.７ｍｍ＜Ｄ１、Ｄ２＜１．０ｍｍを満足する範囲での任意の面形状であること、包含部材の形状が半径４．０ｍｍの半球と同径の円柱とから構成されるとき、包含された発光面の位置がその半球の中心からの距離をＬ２としたとき、照射方向を正の向きとすると
−１．３ｍｍ≦Ｌ２≦１．２ｍｍ
の範囲に発光面を包含するのが良い。これによれば高効率であり、かつ配置位置によって画像読取装置の照明装置に対して所望の配光特性を持たせることができる光源装置を達成することができる。
【００６４】
このように同じ形状の包含部材に対して、発光面を異なる位置に包含することで、高効率かつ異なる配光特性の光源装置を達成することができる。これによれば包含部材の製作が容易と成る。
【００６５】
尚、本発明における包含部材の形状については、主に球面形状について示したが、前述した条件を満足する形状であれば、どのような形状であっても良い。例えば包含部材の表面形状は条件式を満足する範囲で回転楕円体や回転放物面でも良いし、非軸対称な形状であっても良い。
［画像読取装置］
図８は本発明の照明装置を１：２走査光学系を有する画像読取装置に適用したときの要部概略図である。尚、同図では実施例１に示した照明装置を使用している。（請求項６）
本実施例においては光源装置801から発光した光（発散光）を直接及び反射部材802,803を介して原稿載置台804に載置された原稿805を照明し、該照明された該原稿805からの画像情報に基づく反射光をスリット811で規制し、走査用の第１のミラー806、第２のミラー807、第の３ミラー808を介して結像レンズ809により１次元ラインセンサー(CCD)810面上に結像させる。そして原稿805の濃淡に応じて電気信号に変換され、図８において紙面に対して垂直方向（主走査方向）の画像情報が読取られる。
【００６６】
また図８において紙面方向に対して副走査方向の画像読取りは原稿805に対して照明装置800、スリット811、そして第１のミラー806とから成る第１のミラー台812を副走査方向に移動させ、更に第２のミラー807と第３のミラー808とから成る第２のミラー台813を該第１ミラー台812の半分の速度で同方向に移動させることにより、原稿805から１次元ラインセンサー810までの光路長を一定に保ちつつ走査することで原稿805の画像情報が読取られる。
【００６７】
尚、本発明の照明装置を例えば図９に示す一体型（フラットベッド型）の画像読取装置に適用しても良い。
【００６８】
図９において光源装置901から発光された光は直接及び反射部材902,903を介して原稿905を照明し、該原稿905からの反射光を第１、第２、第３、第４反射ミラー906a、906b、906c、906dを介してキャリッジ910内部でその光路を折り曲げ、画像読取用レンズ907により１次元ラインセンサー908面上に結像させている。そしてキャリッジ910を副走査モーター909により図中に示す矢印Ａ方向（副走査方向）に移動させることにより原稿905の画像情報を読み取っている。
【００６９】
尚、本発明の照明装置は例えばイメージスキャナや複写機、複合機等の装置に適用することができる。
【図面の簡単な説明】
【００７０】
【図１】本発明の実施例１の光源装置の上部断面図（ａ）、水平方向断面図（ｂ）、発光面形状図（ｃ）及び配光特性図（ｄ）
【図２】本発明の実施例１の照明装置の概略図（ａ）及び配列方向垂直断面図（ｂ）
【図３】本発明の実施例２の光源装置の上部断面図（ａ）、水平方向断面図（ｂ）、発光面形状図（ｃ）及び配光特性図（ｄ）
【図４】本発明の実施例２の照明装置の概略図（ａ）及び配列方向垂直断面図（ｂ）
【図５】本発明の実施例３の光源装置の上部断面図（ａ）、水平方向断面図（ｂ）、発光面形状図（ｃ）及び配光特性図（ｄ）
【図６】本発明の実施例３の照明装置の概略図（ａ）及び配列方向垂直断面図（ｂ）
【図７】条件式（５）に関わる説明図
【図８】本発明の画像読取装置の要部概略図
【図９】本発明の画像読取装置の要部概略図
【符号の説明】
【００７１】
１、７、１３  光源装置
２、８、１４  発光面
３、９、１５  包含部材
３ａ、９ａ、１５ａ  包含部材境界面
４、１０、１６  照明装置
５、１１、１７  反射部材
６、１２、１８  配光特性
２０  照明装置
２１  配光特性
２２  反射部材
８００  照明装置
８０１  光源装置
８０２，８０３  反射部材
８０４  原稿積載台
８０５  原稿
８０６  第１ミラー
８０７  第２ミラー
８０８  第３ミラー
８０９  結像レンズ
８１０  ＣＣＤラインセンサー
【図１】
2006295810.tif 000003
【図２】
2006295810.tif 000004
【図３】
2006295810.tif 000005
【図４】
2006295810.tif 000006
【図５】
2006295810.tif 000007
【図６】
2006295810.tif 000008
【図７】
2006295810.tif 000009
【図８】
2006295810.tif 000010
【図９】
2006295810.tif 000011